(57)【要約】【課題】外観の見栄えの向上を図りつつ、表示窓を通した表示体の視認性の低下を抑制する。【解決手段】ハンドル２は、ベース部材２０と、装飾部材２１と、表示体２２とを備える。ベース部材２０は、表示体２２の表面の一部を前方に臨ませるための表示窓２０２が設けられる。装飾部材２１は、表示窓２０２と対向する対向部分２１１と、表示窓２０２と対向しない非対向部分２１２とを有する。非対向部分２１２の表面に光を拡散する拡散層２１０が設けられる。対向部分２１１の表面には拡散層２１０が設けられない。【選択図】        図１
2015207495.tif 000002
【特許請求の範囲】
【請求項１】
スイッチ本体の前面に回転可能に取り付けられて前記スイッチ本体の押釦ハンドルを押操作するためのハンドルであって、
不透光性の材料で板状に形成され、且つ裏面を前記スイッチ本体の前面に対向させて前記スイッチ本体に取り付けられるベース部材と、透光性の材料で板状に形成され、且つ前記ベース部材の表面を覆う装飾部材と、前記ベース部材に対して移動可能に設けられ、且つ前記押釦ハンドルの押操作に伴って、スイッチ本体から可動自在に動作する駆動片によって移動する表示体とを備え、
前記ベース部材は、前記表示体の表面の一部を前方に臨ませるための表示窓が設けられ、
前記装飾部材は、前記表示窓と対向する対向部分と、前記表示窓と対向しない非対向部分とを有し、前記非対向部分の表面に光を拡散する拡散層が設けられ、前記対向部分の表面には前記拡散層が設けられないことを特徴とするハンドル。
【請求項２】
前記ベース部材と前記装飾部材とは、二色成形によって一体に形成されることを特徴とする請求項１記載のハンドル。
【請求項３】
前記ベース部材と前記装飾部材とは、接着剤によって貼り合わされることを特徴とする請求項１記載のハンドル。
【請求項４】
前記拡散層は、シボ加工によって形成されることを特徴とする請求項１〜３の何れか１項に記載のハンドル。
【請求項５】
請求項１〜４の何れかのハンドルと、前記スイッチ本体とを備えることを特徴とするスイッチ。
【請求項６】
前記ベース部材の表面に前記装飾部材を二色成形する工程と、前記装飾部材の前記非対向部分に前記拡散層を設ける工程とを有することを特徴とするハンドルの製造方法。
【発明の詳細な説明】
【技術分野】
【０００１】
本発明は、ハンドル及び当該ハンドルを用いるスイッチ、並びに当該ハンドルの製造方法に関する。
【背景技術】
【０００２】
従来例として、特許文献１記載のピアノハンドル式スイッチを例示する。特許文献１記載のピアノハンドル式スイッチは、スイッチ本体とピアノハンドルとで構成される。スイッチ本体は、押釦ハンドルが押し込まれたときに、この押釦ハンドルの押し込み動作に伴って反転ハンドルを反転回動させ、この反転ハンドルの反転回動に応じて接点部の切り換えを行なうように構成される。ピアノハンドルは、スイッチ本体の前面に取り付けられ、押し操作されたときに押釦ハンドルをピアノタッチ操作で押圧するように構成される。そして、このピアノハンドル式スイッチは、ピアノハンドルのピアノタッチ操作によりスイッチ本体の接点部を切り換えるように構成される。
【０００３】
ピアノハンドルの背面側には摺動凹所が設けられている。この摺動凹所には接点部の切換状態を表示するための表示体が摺動自在にはめ込まれている。摺動凹所の略中央部には表示窓が設けられている。表示体の背面側にはガイド突部が突設され、ガイド突部の背面側に、表示体の摺動方向に傾斜した操作面が形成されている。摺動凹所は、ガイド突部の移動範囲を除いて、ピアノハンドルの裏面側に取り付けられる押さえ板で覆われる。つまり、表示体は、押さえ板で抑えられることでピアノハンドルの摺動凹所から外れないようになっている。また、表示体は、摺動凹所に収納されるコイルばねのばね力により、摺動方向における片方の向きに押圧されている。
【０００４】
一方、スイッチ本体の反転ハンドルには、表示体を摺動させるための駆動片が一体に形成されている。駆動片は略Ｌ字状に形成され、スイッチ本体の前面に設けられた孔から先端が進退自在に突出するように構成される。そして、反転ハンドルの回転に伴い、駆動片がスイッチ本体の孔から進退自在に突出し、駆動片の先端が操作面に当たることで表示体が摺動される。表示体が摺動すれば、表示窓を通してピアノハンドルの前方から見える表示体の部位が変化する。表示体は、表示窓と対向する面に、例えば、「入」及び「切」の文字が摺動方向に沿って並ぶように印刷されている。そして、接点部が閉じた状態の時に「入」の文字が表示窓から視認され、接点部が開いた状態の時に「切」の文字が表示窓から視認される。
【先行技術文献】
【特許文献】
【０００５】
【特許文献１】特開２００１−２１０１８３号公報(段落[０００２]−[０００６]及び図８９−図９０参照)
【発明の概要】
【発明が解決しようとする課題】
【０００６】
ところで、外観の見栄えを良くするため、不透光性の材料からなるベース部材と、透光性の材料からなり、ベース部材の前面を覆う装飾部材とで構成されたハンドル(ピアノハンドル)が提供されている。また、このようなハンドルにおいて、例えば、装飾部材の表面に細かな凹凸が形成され(いわゆるシボ加工され)、装飾部材の表面で外光を拡散させることで外観の見栄えを向上させている。
【０００７】
ここで、ベース部材に設けられる表示窓が装飾部材で覆われる場合、表示窓を通した表示体の視認性が低下してしまう虞がある。
【０００８】
本発明は、上記課題に鑑みて為されたものであり、外観の見栄えの向上を図りつつ、表示窓を通した表示体の視認性の低下を抑制することを目的とする。
【課題を解決するための手段】
【０００９】
本発明のハンドルは、スイッチ本体の前面に回転可能に取り付けられて前記スイッチ本体の押釦ハンドルを押操作するためのハンドルであって、ベース部材と、装飾部材と、表示体とを備える。ベース部材は、不透光性の材料で板状に形成され、且つ裏面を前記スイッチ本体の前面に対向させて前記スイッチ本体に取り付けられる。装飾部材は、透光性の材料で板状に形成され、且つ前記ベース部材の表面を覆う。表示体は、前記ベース部材に対して移動可能に設けられ、且つ前記押釦ハンドルの押操作に伴って、スイッチ本体から可動自在に動作する駆動片によって移動するように構成される。前記ベース部材は、前記表示体の表面の一部を前方に臨ませるための表示窓が設けられる。前記装飾部材は、前記表示窓と対向する対向部分と、前記表示窓と対向しない非対向部分とを有する。前記非対向部分の表面に光を拡散する拡散層が設けられる。前記対向部分の表面には前記拡散層が設けられない。
【００１０】
本発明のスイッチは、前記ハンドルと、前記スイッチ本体とを備える。
【００１１】
本発明のハンドルの製造方法は、前記ベース部材の表面に前記装飾部材を二色成形する工程と、前記装飾部材の前記非対向部分に前記拡散層を設ける工程とを有する。
【発明の効果】
【００１２】
本発明のハンドル及び当該ハンドルを用いるスイッチ、並びに当該ハンドルの製造方法は、外観の見栄えの向上を図りつつ、表示窓を通した表示体の視認性の低下を抑制することができるという効果がある。
【図面の簡単な説明】
【００１３】
【図１】本発明に係るハンドルの実施形態を示す一部省略した断面図である。
【図２】同上の分解斜視図である。
【図３】本発明に係るスイッチの実施形態におけるスイッチ本体の斜視図である。
【図４】本発明に係るスイッチの実施形態を示す斜視図である。
【発明を実施するための形態】
【００１４】
以下、本発明に係るハンドル及びスイッチの実施形態について、図面を参照して詳細に説明する。
【００１５】
本実施形態のスイッチは、スイッチ本体１とハンドル２とで構成される。スイッチ本体１は、図３に示すように矩形箱形の合成樹脂成形体からなる器体１０を備える。器体１０は、前面の長手方向(図３における左右方向)の中央から右側に寄せて、矩形の孔１００が開口されている。そして、この孔１００には、押釦ハンドル１１が前後方向(図３における紙面に垂直な方向)に移動可能に配設されている。
【００１６】
また、器体１０の前面の左側の端には、一対の軸部１２が短手方向(図３における上下方向)に並べて設けられている。これらの軸部１２は、前端部分が円柱状に形成されており、ハンドル２の軸受け部(図示せず)が回転可能に取り付けられる。
【００１７】
さらに、器体１０は、左右両側の側面に、一対の取付爪１０１がそれぞれ上下方向に間隔を空けて並ぶように設けられている。器体１０は、これらの取付爪１０１を用いて、取付枠(図示せず)に着脱可能に取り付けられる。ただし、取付枠については、特許文献１にも開示されているように従来周知であるから、詳細な構成の図示及び説明を省略する。
【００１８】
また、図示は省略するが、器体１０の内部には、特許文献１記載の従来例と同様に、接点部や反転ハンドルなどが収納されている。つまり、本実施形態のスイッチ本体１は、特許文献１記載の従来例と同じく、押釦ハンドル１１の押し込み動作に伴って反転ハンドルを反転回動させ、この反転ハンドルの反転回動に応じて接点部の切り換えを行なうように構成される。
【００１９】
さらに、スイッチ本体１は、特許文献１記載の従来例と同様に、反転ハンドルに駆動片１３が一体に形成されている。そして、器体１０の前面には、駆動片１３の先端部が進退自在に突出する出入孔１０２が設けられている。駆動片１３は、接点部が閉じているときに出入孔１０２から先端部が突出し、接点部が開いているときに出入孔１０２内に先端部が退避するように構成されている(図３参照)。ただし、駆動片１３は、接点部が開いているときに出入孔１０２から先端部が突出し、接点部が閉じているときに出入孔１０２内に先端部が退避するように構成されても構わない。
【００２０】
ハンドル２は、ベース部材２０と装飾部材２１を備える点を除いて、特許文献１記載の従来例におけるピアノハンドルとほぼ共通の構成を有している(図１及び図２参照)。
【００２１】
ベース部材２０は、不透光性の合成樹脂材料(例えば、ＡＢＳ樹脂)によって矩形平板状に形成されている。また、ベース部材２０は、長手方向の一端側(図２における左側)の裏面に軸受け部(図示せず)が設けられている。軸受け部は、金属製の板ばね２６と、ベース部材２０の裏面に設けられる嵌め込み穴(図示せず)とで構成され、嵌め込み穴に挿入される軸部１２を板ばね２６のばね力で回転可能に保持するように構成される。
【００２２】
ベース部材２０は、長手方向の他端側(図２における右側)の裏面に、後方(図２における下方)へ突出する一対の抜け止め片２００が設けられている。これらの抜け止め片２００は、スイッチ本体１の器体１０の前面に形成される挿入孔１０３を通して器体１０内の空所１０４に挿入され、先端に設けられる爪２０１(図２参照)が挿入孔１０３の周縁に引っ掛かるように構成される(図３参照)。
【００２３】
また、ベース部材２０は、軸受け部が設けられている長手方向の一端側に表示窓２０２が形成されている。この表示窓２０２は、前後方向(図１及び図２における上下方向)から見た形状が矩形に形成されてベース部材２０を貫通している。表示窓２０２の内周面２０２０は、内から外(図１における下から上)に向かって拡径するように傾斜している。
【００２４】
さらに、ベース部材２０の裏面側には凹所２０３が設けられている(図１参照)。この凹所２０３に表示体２２が移動自在に嵌め込まれている。なお、凹所２０３の略中央部に表示窓２０２が開口している。表示体２２の裏面側にはガイド突部２２０が突設されている。ガイド突部２２０の裏面側に、表示体２２の移動方向に傾斜した操作面２２１が形成されている。凹所２０３は、ガイド突部２２０の移動範囲を除いて、ベース部材２０の裏面側に取り付けられる押さえ板２４で覆われる。つまり、表示体２２は、押さえ板２４で抑えられることでベース部材２０の凹所２０３から外れないようになっている。また、表示体２２は、凹所２０３に収納されるコイルばね２３のばね力により、移動方向における片方の向きに押圧される。
【００２５】
また、表示体２２の前面にはラベル２５が取り付けられている。ラベル２５は、合成樹脂材料によって矩形のシート状に形成されている(図２参照)。ラベル２５の表面(図２における上面)には、スイッチ本体１の接点部の状態に対応した文字、例えば、「入」と「切」が長手方向に間隔を空けて記されている(図４参照)。つまり、表示体２２が凹所２０３内を移動(平行移動)することにより、ラベル２５に記された２つの文字(「入」と「切」)のうちの一方の文字が択一的に表示窓２０２に臨むことになる。ただし、ラベル２５を介さずに、表示体２２の表面に直接文字が記されても構わない。
【００２６】
装飾部材２１は、透光性の合成樹脂材料(例えば、ポリカーボネート樹脂)によって矩形平板状に形成されている。装飾部材２１は、ベース部材２０の表面に接着剤で接着されるか、あるいは、二色成形によってベース部材２０の表面に一体に形成される。また、装飾部材２１の表面(図１における上面)には、外から入射する光を拡散する拡散層２１０が設けられている。この拡散層２１０は、例えば、微小な凹凸(シボ加工)によって形成されることが好ましい。
【００２７】
つまり、前方からハンドル２の表面に入射する光の大部分が装飾部材２１の拡散層２１０で拡散され、拡散光の大半が前方へ出射され、拡散光の一部が後方へ進行してベース部材２０の表面に反射されて前方へ戻る。一方、装飾部材２１の表面に拡散層２１０が設けられていない場合、前方からハンドル２の表面に入射する光が全てベース部材２０の表面に反射されて前方へ戻る。したがって、拡散層２１０が設けられていない場合、ハンドル２の前方から装飾部材２１を通してベース部材２０の表面が透けて見えるに過ぎず、外観の見栄えを良くすることは難しい。
【００２８】
一方、拡散層２１０が設けられている場合、前方から見たときにハンドル２の表面(拡散層２１０)で光が拡散されるため、ベース部材２０の表面がそのまま透けて見える場合と比較して、外観の見栄えを良くすることができる。
【００２９】
上述のように構成されるハンドル２がスイッチ本体１の前面側に回転可能に取り付けられることでスイッチ(ピアノハンドル式スイッチ)が構成される。ハンドル２に後ろ向きの力が加わると、軸部１２を支点としてハンドル２が回転し、スイッチ本体１の押釦ハンドル１１が後ろ向きに押される。その結果、押釦ハンドル１１が器体１０内に押し込まれて接点部の状態が切り換わる。そして、ハンドル２に前記力が加えられなくなると、押釦ハンドル１１が器体１０の外へ移動する。このとき、押釦ハンドル１１に押されたハンドル２がスイッチ本体１の前面から離れる向きに回転し、一対の抜け止め片２００の爪２０１が挿入孔１０３の周縁に引っ掛かる位置で停止する。
【００３０】
また、表示体２２は、ベース部材２０に対して移動可能に設けられ、且つ押釦ハンドル１１の押操作に伴って、スイッチ本体１から可動自在に動作する駆動片１３によって移動するように構成される。具体的には、接点部の状態に対応して、器体１０前面の出入孔１０２から駆動片１３の先端部分が進退自在に突出し、出入孔１０２から突出する駆動片１３の先端部分で表示体２２が駆動され、ハンドル２の凹所２０３内を表示体２２が移動する。その結果、ハンドル２の前方から表示窓２０２を通して、表示体２２の表面に取り付けられているラベル２５の文字(「入」及び「切」)が択一的に視認可能となる(図４参照)。
【００３１】
ここで、装飾部材２１は、図１に示すようにベース部材２０の表示窓２０２と対向する対向部分２１１と、表示窓２０２と対向しない非対向部分２１２とを有している。そして、非対向部分の表面には拡散層２１０が設けられるが、対向部分の表面には拡散層２１０が設けられない。
【００３２】
つまり、対向部分の表面に拡散層２１０が設けられていると、表示体２２の表面に取り付けられているラベル２５の文字がハンドル２の前方から視認し難くなってしまう。故に、本実施形態のハンドル２では、装飾部材２１の対向部分２１１の表面に拡散層２１０が設けられないことにより、表示窓２０２を通して、ラベル２５の文字がハンドル２の前方から視認し易くなっている(図４参照)。
【００３３】
上述のように本実施形態のハンドル２は、スイッチ本体１の前面に回転可能に取り付けられてスイッチ本体１の押釦ハンドル１１を押操作するためのハンドルであり、ベース部材２０と、装飾部材２１と、表示体２２とを備える。ベース部材２０は、不透光性の材料で板状に形成され、且つ裏面をスイッチ本体１の前面に対向させてスイッチ本体１に取り付けられる。装飾部材２１は、透光性の材料で板状に形成され、且つベース部材２０の表面を覆う。表示体２２は、ベース部材２０に対して移動可能に設けられ、且つスイッチ本体１の前面から進退自在に突出する駆動片１３に駆動されて移動するように構成される。ベース部材２０は、表示体２２の表面の一部を前方に臨ませるための表示窓２０２が設けられる。装飾部材２１は、表示窓２０２と対向する対向部分２１１と、表示窓２０２と対向しない非対向部分２１２とを有する。非対向部分２１２の表面に光を拡散する拡散層２１０が設けられる。対向部分２１１の表面には拡散層２１０が設けられない。
【００３４】
また、本実施形態のスイッチは、ハンドル２とスイッチ本体１とを備える。
【００３５】
本実施形態のハンドル２及びスイッチは上述のように構成されるので、拡散層２１０によって外観の見栄えの向上を図りつつ、表示窓２０２を通した表示体２２の視認性の低下を抑制することができる。
【００３６】
さらに、本実施形態のハンドル２では、ベース部材２０の表示窓２０２の内周面２０２０が、前方に向かって拡径するように傾斜している。このため、表示窓２０２の内周面２０２０が上述のように傾斜していない場合と比較して、表示窓２０２を通した表示体２２(ラベル２５の文字)の視認性の向上が図られるという利点がある。
【００３７】
なお、ベース部材２０と装飾部材２１とは、二色成形によって一体に形成されることが好ましい。
【００３８】
あるいは、ベース部材２０と装飾部材２１とは、接着剤によって貼り合わされることが好ましい。
【００３９】
また、拡散層２１０は、シボ加工によって形成されることが好ましい。
【００４０】
さらに、本実施形態のハンドル２の製造方法において、ベース部材２０の表面に装飾部材２１を二色成形する工程と、装飾部材２１の非対向部分２１２に拡散層２１０を設ける工程とを有することが好ましい。
【００４１】
なお、表示体２２は、スイッチ本体１の前面から進退自在に突出する駆動片１３に駆動されて移動するように構成されることが好ましい。
【符号の説明】
【００４２】
１  スイッチ本体
２  ハンドル
１１  押釦ハンドル
１３  駆動片
２０  ベース部材
２１  装飾部材
２２  表示体
２０２  表示窓
２１０  拡散層
２１１  対向部分
２１２  非対向部分
【図１】
2015207495.tif 000003
【図２】
2015207495.tif 000004
【図３】
2015207495.tif 000005
【図４】
2015207495.tif 000006